(57)【特許請求の範囲】
【請求項１】
第１のコンデンサと、
前記第１のコンデンサの一端にその一端が接続された第２のコンデンサと、
前記第１のコンデンサと前記第２のコンデンサとの接続点にその一端が接続され
その他端がグランドに接続された第１のインダクタと、
前記第２のコンデンサの他端にその一端が接続され
その他端がグランドに接続された第２のインダクタとを備え、
前記第１のコンデンサの他端にその一端が接続されるとともに
その他端がグランドに接続された段間結合素子と、
前記段間結合素子の一端にその一端が接続された第３のコンデンサと、
前記第３のコンデンサの他端にその一端が接続された第４のコンデンサと、
前記第３のコンデンサと前記第４のコンデンサとの接続点にその一端が接続され
その他端がグランドに接続された第３のインダクタと、
前記第４のコンデンサの他端にその一端が接続されるとともに
その他端がグランドに接続された第４のインダクタと、
前記第２のコンデンサの他端に接続された第１の入出力結合素子と、
前記第４のコンデンサの他端に接続された第２の入出力結合素子とを設け、
前記第１のコンデンサと前記第３のコンデンサとは
前記段間結合素子に関して対称位置に配置し、
前記第２のコンデンサと前記第４のコンデンサとは
前記段間結合素子に関して対称位置に配置し、
前記第１のインダクタと前記第３のインダクタとは
前記段間結合素子に関して対称位置に配置し、
前記第２のインダクタと前記第４のインダクタとは
前記段間結合素子に関して対称位置に配置した
左手系フィルタ。
【請求項２】
第１のコンデンサと、
前記第１のコンデンサの一端にその一端が接続されるとともに
その他端がグランドに接続された第１のインダクタと、
前記第１のコンデンサの他端にその一端が接続された第２のコンデンサと、
前記第２のコンデンサの一端にその一端が接続されるとともに
その他端がグランドに接続された第２のインダクタとを備え、
前記第１のコンデンサの一端にその一端が接続される段間結合素子と、
前記段間結合素子の他端にその一端が接続される第３のコンデンサと、
前記第３のコンデンサの一端にその一端が接続されるとともに
その他端がグランドに接続された第３のインダクタと、
前記第３のコンデンサの他端にその一端が接続された第４のコンデンサと、
前記第４のコンデンサの一端にその一端が接続されるとともに
その他端がグランドに接続された第４のインダクタと、
前記第２のコンデンサの他端にその一端が接続されるとともに
その他端がグランドに接続された第１の入出力結合素子と、
前記第４のコンデンサの他端にその一端が接続されるとともに
その他端がグランドに接続された第２の入出力結合素子とを設け、
前記第１のコンデンサと前記第３のコンデンサとは
前記段間結合素子に関して対称位置に配置し、
前記第２のコンデンサと前記第４のコンデンサとは
前記段間結合素子に関して対称位置に配置し、
前記第１のインダクタと前記第３のインダクタとは
前記段間結合素子に関して対称位置に配置し、
前記第２のインダクタと前記第４のインダクタとは
前記段間結合素子に関して対称位置に配置した
左手系フィルタ。
【請求項３】
第１のコンデンサと、
前記第１のコンデンサの一端にその一端が接続された第２のコンデンサと、
前記第１のコンデンサと前記第２のコンデンサとの接続点にその一端が接続され
その他端がグランドに接続された第１のインダクタと、
前記第２のコンデンサの他端にその一端が接続され
その他端がグランドに接続された第２のインダクタとを備え、
前記第１のコンデンサの他端にその一端が接続された段間結合素子と、
前記段間結合素子の他端にその一端が接続された第３のコンデンサと、
前記第３のコンデンサの他端にその一端が接続された第４のコンデンサと、
前記第３のコンデンサと前記第４のコンデンサとの接続点にその一端が接続され
その他端がグランドに接続された第３のインダクタと、
前記第４のコンデンサの他端にその一端が接続されるとともに
その他端がグランドに接続された第４のインダクタと、
前記第２のコンデンサの他端にその一端が接続されるとともに
その他端がグランドに接続された第１の入出力結合素子と、
前記第４のコンデンサの他端にその一端が接続されるとともに
その他端がグランドに接続された第２の入出力結合素子とを設け、
前記第１のコンデンサと前記第３のコンデンサとは
前記段間結合素子に関して対称位置に配置し、
前記第２のコンデンサと前記第４のコンデンサとは
前記段間結合素子に関して対称位置に配置し、
前記第１のインダクタと前記第３のインダクタとは
前記段間結合素子に関して対称位置に配置し、
前記第２のインダクタと前記第４のインダクタとは
前記段間結合素子に関して対称位置に配置した
左手系フィルタ。
【請求項４】
第１のコンデンサと、
前記第１のコンデンサの一端にその一端が接続されるとともに
その他端がグランドに接続された第１のインダクタと、
前記第１のコンデンサの他端にその一端が接続された第２のコンデンサと、
前記第２のコンデンサの一端にその一端が接続されるとともに
その他端がグランドに接続された第２のインダクタとを備え、
前記第１のコンデンサの一端にその一端が接続されるとともに
その他端がグランドに接続された段間結合素子と、
前記段間結合素子の一端にその一端が接続される第３のコンデンサと、
前記第３のコンデンサの一端にその一端が接続されるとともに
その他端がグランドに接続された第３のインダクタと、
前記第３のコンデンサの他端にその一端が接続された第４のコンデンサと、
前記第４のコンデンサの一端にその一端が接続されるとともに
その他端がグランドに接続された第４のインダクタと、
前記第２のコンデンサの他端にその一端が接続された第１の入出力結合素子と、
前記第４のコンデンサの他端にその一端が接続された第２の入出力結合素子とを設け、
前記第１のコンデンサと前記第３のコンデンサとは
前記段間結合素子に関して対称位置に配置し、
前記第２のコンデンサと前記第４のコンデンサとは
前記段間結合素子に関して対称位置に配置し、
前記第１のインダクタと前記第３のインダクタとは
前記段間結合素子に関して対称位置に配置し、
前記第２のインダクタと前記第４のインダクタとは
前記段間結合素子に関して対称位置に配置した
左手系フィルタ。
【発明の詳細な説明】
【技術分野】
【０００１】
本発明は、携帯電話等に用いられる左手系フィルタに関するものである。
【背景技術】
【０００２】
従来この種の左手系フィルタは、図３５に示すごとく、グランドに接続されたインダクタ４とコンデンサ３とを交互に複数個接続し、その両端に入出力結合素子３０ａ，３０ｂを接続してなる、所謂左手系伝送線路を誘電体層上に形成して構成されていた。
【０００３】
なお、この出願に関する先行技術文献情報としては、例えば、特許文献１が知られている。
【特許文献１】米国特許出願公開第２００６／００６６４２２号明細書
【発明の開示】
【発明が解決しようとする課題】
【０００４】
このような従来の左手系フィルタでは、伝搬特性が悪いことが問題となっていた。
【０００５】
すなわち、上記従来の構成においては、伝送線路長により共振周波数が決定され、当該共振周波数域の信号のみを通過させる構成となるため、図３６に示すごとく、非常に帯域幅の狭い単峰特性となり、その結果として伝搬特性が悪くなってしまっていた。
【０００６】
そこで本発明は、左手系フィルタの伝搬特性を改善することを目的とする。
【課題を解決するための手段】
【０００７】
そして、この目的を達成するために本発明は、第１のコンデンサの他端にその一端が接続されるとともにその他端がグランドに接続された段間結合素子と、前記段間結合素子の一端にその一端が接続された第３のコンデンサと、前記第３のコンデンサの他端にその一端が接続された第４のコンデンサと、前記第３のコンデンサと前記第４のコンデンサとの接続点にその一端が接続されその他端がグランドに接続された第３のインダクタと、前記第４のコンデンサの他端にその一端が接続されるとともにその他端がグランドに接続された第４のインダクタと、前記第２のコンデンサの他端に接続された第１の入出力結合素子と、前記第４のコンデンサの他端に接続された第２の入出力結合素子とを設け、前記第１のコンデンサと前記第３のコンデンサとは前記段間結合素子に関して対称位置に配置し、前記第２のコンデンサと前記第４のコンデンサとは前記段間結合素子に関して対称位置に配置し、前記第１のインダクタと前記第３のインダクタとは前記段間結合素子に関して対称位置に配置し、前記第２のインダクタと前記第４のインダクタとは前記段間結合素子に関して対称位置に配置した左手系フィルタとしたものである。
【発明の効果】
【０００８】
この構成により、第１、第２のコンデンサと第１、第２のインダクタとからなる第１の共振器と、第３、第４のコンデンサと第３、第４のインダクタとからなる第２の共振器との共振モードを結合させることにより、複数の共振周波数域の信号を透過する構成を実現し、帯域幅を広くすることができるため、左手系フィルタの伝搬特性を改善することができる。
【発明を実施するための最良の形態】
【０００９】
（実施の形態１）
以下、本発明の実施の形態１における左手系フィルタについて図面を参照しながら説明する。
【００１０】
まず本発明において用いられる単位セル１０ａと呼ばれる回路を図１に示す。この単位セル１０ａはインダクタ１，４、コンデンサ２，３で構成される。詳細に説明するとインダクタ１はコンデンサ３と並列に接続されており、一端側は接地されている。そして、他端側にはインダクタ４の一端が接続されており、このインダクタ４の他端には直列にコンデンサ２が接続されている。なお、インダクタ４とコンデンサ２の接続の順番はどちらでも構わない。
【００１１】
次に、図１１（ａ）、（ｂ）において、単位セル１０ａの具体的な単位セル構造２０ａを示す。図１１（ｂ）に示すように、互いに対向するよう配置された接地導体２７，２８間が誘電体２９で満たされた構造において、図１に示したインダクタ１を図１１（ｂ）に示す導体２１及びそれと接地導体２８を接続する導体２５で構成し、図１に示したコンデンサ２を図１１（ａ）、（ｂ）に示す導体２２ａ，２２ｂで導体２４を挟む構造により構成し、図１に示したインダクタ４を図１１（ｂ）に示す導体２２ａ，２２ｂと導体２４とを電気的に接続する導体２６ａ，２６ｂ及び導体２４で構成し、図１に示すコンデンサ３を導体２１，２３と互いに対向するよう配置された接地導体２７，２８とにより構成している。
【００１２】
図１に示した単位セル１０ａ及び図１１に示した単位セル構造２０ａは左手系メタマテリアルと呼ばれる右手左手系複合線路である。
【００１３】
ここで、左手系メタマテリアルについて説明する。通常自然界に存在する物質は右手系媒質である。これらは、正の誘電率と正の透磁率を持つ。また、屈折率は正の値を持ち、我々はこれを物質の当然の性質と考えていた。これまでに、知られている特殊な媒質では、プラズマで見掛けの誘電率が負となり電磁波はプラズマ中を伝播できないこと、フェライトでは見掛けの透磁率が負となり電磁波はフェライト中を伝播できないことが知られていた。誘電率と透磁率の両方が同時に負になる媒質はこれまで自然界で発見されていないものの、マクスウェルの方程式に立ち戻って考えてみると、そのような媒質中で、電磁波は伝播することができ、しかも屈折率が負になることが導き出せる。
【００１４】
そのような媒質は、人工的に微細構造を作りこむことによって、見掛けの材料物性値をコントロールした人工媒質（メタマテリアル）である。メタマテリアルの実現方法としては、いろいろな方法が考えられ、人工結晶や伝送線路型などがこれまでに提案されている。ここで、右手系、左手系とは、電磁波の電界の方向、磁界の方向と波の進む方向（位相伝播方向）が右手の親指、人差し指、中指の位置関係になっているか、または左手のそれになっているかということを表している。すなわち、右手系と左手系では、電磁波の位相伝播方向が逆になる。右手系では波のエネルギー伝播方向に位相も伝播していくが、左手系では波のエネルギーの伝播方向と逆方向に位相が伝播していく。よって、左手系媒質中では、電磁波の伝播は後進波となり、エネルギーの伝播方向と位相の伝播方向が逆向きになる。
【００１５】
以下、伝送線路型メタマテリアルの動作原理について詳細に述べる。通常の右手系の伝送線路は図３１に示すように、その電気的特性を表すために、直列のインダクタ４と並列のコンデンサ３からなる無限微小区間が無限個数連なった等価回路で考えられる。この構造は、純粋な右手系伝送線路（Pure right-handed transmission line; PRH TL）である。これに対し、左手系の伝送線路は図３２に示すように、直列のコンデンサ２と並列のインダクタ１からなる無限微小区間が無限個数連なった等価回路で考えられる。この構造は、純粋な左手系伝送線路（Pure left-handed transmission line; PLH TL）となるが、残念ながら実現不可能である。なぜならば、直列のコンデンサを作ろうとすると大きさを持つため、寄生の右手系の直列インダクタが必ず生じる。また、並列のインダクタを作ろうとすると大きさを持つため、寄生の右手系の並列コンデンサが必ず生ずる。したがって、実際に実現可能なのは、直列の左手系コンデンサと右手系インダクタならびに並列の左手系インダクタと右手系コンデンサからなる複合右手系左手系伝送線路（Composite right/left-handed transmission line; CRLH TL）である。これが図１に示した前記単位セル１０ａに該当する。
【００１６】
ＣＲＬＨ伝送線路は、左手系と右手系の両方の性質を併せ持つ。周波数が高い領域では右手系の性質を持ち、周波数が低い領域では左手系の性質を持つ。直列の左手系コンデンサＣLと右手系インダクタＬRは直列共振回路を形成し、角周波数ωse＝１／（ＣL*ＬR）で共振する。
【００１７】
並列の左手系インダクタＬLと右手系コンデンサＣRは並列共振回路を形成し、角周波数ωsh＝１／（ＬL*ＣR）で反共振する。ωse＝ωshの場合をバランス・ケースと言い、右手系の周波数領域と左手系の周波数領域が連続的につながる。ωse≠ωshの場合をアンバランス・ケースと言い、右手系の周波数領域と左手系の周波数領域の間にギャップが生じ、その領域では電磁波が伝播できない減衰帯域となる。前述の先行文献は、右手系の周波数領域と左手系の周波数領域の境界周波数で生じる０次モード共振を応用したものである。
【００１８】
ＣＲＬＨ伝送線路の入出力端に、微小ギャップなどを構成し入出力結合容量を形成すると、ＣＲＬＨは右手系の有限長線路と同じように共振器として動作する。右手系の有限長線路共振器では、２分の１波長となる最低次の共振とその整数倍の高調波の共振が認められる。これに対して、ＣＲＬＨ共振器では、セル数により固有の共振周波数の数が決まってくる。例えば、単位セル１０ａを７個接続したセル数ｎ＝７では、図３６に示すように２分の１波長の定在波がのる＋１次の共振から＋６次の共振が右手系の共振として存在する。また、後進波の共振として、２分の１波長の定在波がのる−１次の共振から−６次の共振が左手系の共振として存在する。さらに、全てのセルが同電位で同期して振動する０次モードというものが存在する。図３３に示すように０次モードでは定在波が立たないが、このモードは波長が無限大になった特殊な共振モードと考えることができる。
【００１９】
ＣＲＬＨ共振器で、＋１次と−１次の共振モードは、図３３に示すように定在波の分布を見ると同じであり、右手系の前進波と左手系の後進波の位相速度の絶対値は、左手系の方が低い周波数で同じになるので、左手系の共振周波数は必ず低くなる。
【００２０】
−６次より低い周波数ではＣＲＬＨ伝送線路のハイパス特性が効いてきて、それより低い周波数では伝播できない左手系ギャップとなる。また、＋６次より高い周波数ではＣＲＬＨ伝送線路のローパス特性が効いてきて、それより高い周波数では伝播できない右手系ギャップとなる。したがって、ＣＲＬＨ共振器は周波数の低い左手系領域から周波数の高い右手系領域まで含めて、非常に広帯域のバンドパス特性を呈する。しかし、本発明で利用しようとしているのは、このような左手系と右手系の両方を含めた広帯域なバンドパス特性ではない。本発明は、左手系の後進波のスローウェーブ特性を利用した超小型バンドパス左手系フィルタである。
【００２１】
左手系の共振を用いて所望の帯域幅を持つバンドパス左手系フィルタを構成するためには、ある特定の左手系共振モードを複数個集めてきて、帯域通過特性を形成することが必要である。そのために、本発明の構成では、段間結合素子を用いて、共振器を複数個持つ多段左手系フィルタを構成する。
【００２２】
ここで、特記すべきことは、１段の共振器で、例えば隣接する−１次と−２次の共振モードを利用したとしても、各共振モードは離散的な定在波の数に対応する特定の周波数間隔を有する分離された共振周波数しか持ち得ないということである。
【００２３】
これに対して、段間結合素子を用いて、例えば２段の左手系フィルタを構成した場合、図３４に示すように第１の共振器の−１次の共振モードと第２の共振器の−１次の共振モードを用いて通過帯域を形成することができる。その際、帯域幅は段間結合素子ならびに入出力結合素子の大きさを制御することにより、所望の帯域幅と通過帯域特性を形成することができる。この点が、本発明の特徴的なところである。
【００２４】
以下、この構成について詳しく説明する。
【００２５】
図２に示すように、単位セル１０ａと、この単位セル１０ａと同様にインダクタ１１，１４、コンデンサ１２，１３で構成される単位セル１０ｂとを縦続に接続した回路がＣＲＬＨ共振器１００ａである。
【００２６】
このＣＲＬＨ共振器１００ａは単位セル１０ａ，１０ｂを有するので、共振は−１次、０次、１次の３個存在することになる。
【００２７】
ＣＲＬＨ共振器１００ａにおいて、インダクタ１及びコンデンサ３が並列に接続されている側を端子１０１とし、インダクタ１４とコンデンサ１２が縦続に接続されている側を端子１０２とする。
【００２８】
たとえばＣＲＬＨ共振器１００ａは、図１２に示すように、単位セル構造２０ａと、この単位セル構造２０ａと同様に、互いに対向するよう配置された接地導体２７，２８間が誘電体２９で満たされた構造において、図２に示したインダクタ１１を導体３１及びそれと接地導体２８を接続する導体３５で構成し、図２に示したコンデンサ１２を導体３２ａ，３２ｂで導体３４を挟む構造により構成し、図２に示したインダクタ１４を導体３２ａ，３２ｂと導体３４とを電気的に接続する導体３６ａ，３６ｂ及び導体３４で構成し、コンデンサ１３を導体３１，３３と互いに対向するよう配置された接地導体２７，２８との間で表現される単位セル構造２０ｂを縦続に接続した構造で表現される。これをＣＲＬＨ共振器構造２００ａとする。図２に示す端子１０１は図１２の端子２０１に、図２に示す端子１０２は図１２の端子２０２に対応する。
【００２９】
それではここで、本発明の実施の形態１における左手系フィルタの構成について説明する。図３に示すごとく、このＣＲＬＨ共振器１００ａの端子１０１と接地面との間に入力結合コンデンサ７ａを接続し、このＣＲＬＨ共振器１００ａの端子１０２に縦続に段間結合コンデンサ９ａを接続し、さらに段間結合コンデンサ９ａと新たに用意したＣＲＬＨ共振器１００ｂの端子１０２を縦続に接続し、このＣＲＬＨ共振器１００ｂの端子１０１ｂと接地面との間に出力結合コンデンサ８ａを接続している。即ち、第１のコンデンサ１２ｂと、第１のコンデンサ１２ｂの一端にその一端が接続された第２のコンデンサ２ｂと、第１のコンデンサ１２ｂと第２のコンデンサ２ｂとの接続点にその一端が接続され、その他端がグランドに接続された第１のインダクタ１ｂと、第２のコンデンサ２ｂの他端にその一端が接続されその他端がグランドに接続された第２のインダクタ１１ｂとを備え、第１のコンデンサ１２ｂの他端にその一端が接続された段間結合素子としての段間結合コンデンサ９ａと、段間結合コンデンサ９ａの他端にその一端が接続された第３のコンデンサ１２と、第３のコンデンサ１２の他端にその一端が接続された第４のコンデンサ２と、第３のコンデンサ１２と第４のコンデンサ２との接続点にその一端が接続されその他端がグランドに接続された第３のインダクタ１１と、第４のコンデンサ２の他端にその一端が接続されるとともに、その他端がグランドに接続された第４のインダクタ１と、第２のコンデンサ２ｂの他端にその一端が接続されるとともに、その他端がグランドに接続された第１の入出力結合素子８ａと、第４のコンデンサ２の他端にその一端が接続されるとともに、その他端がグランドに接続された第２の入出力結合素子７ａとを設け、第１のコンデンサ１２ｂと第３のコンデンサ１２とは段間結合コンデンサ９ａに関して対称位置に配置し、第２のコンデンサ２ｂと第４のコンデンサ２とは段間結合コンデンサ９ａに関して対称位置に配置し、第１のインダクタ１ｂと第３のインダクタ１１とは段間結合コンデンサ９ａに関して対称位置に配置し、第２のインダクタ１１ｂと第４のインダクタ１とは段間結合コンデンサ９ａに関して対称位置に配置した構成としている。
【００３０】
このようにＣＲＬＨ共振器１００ａ、１００ｂを段間結合コンデンサ９ａに関して対称位置に配置しているので、容易に２個のＣＲＬＨ共振器１００ａ、１００ｂの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００３１】
具体的な構成としては、図１３（ａ）、（ｂ）に示すように、互いに対向するよう配置された接地導体２７，２８間が誘電体２９で満たされた構造において、図３に示した段間結合コンデンサ９ａは図１３（ａ）、（ｂ）に示す導体４２ａ，４２ｂを導体４１ａ，４１ｂで挟む構造により構成し、これを段間結合コンデンサ構造９０ａとし、また、図１４に示すように互いに対向するよう配置された接地導体２７，２８間が誘電体２９で満たされた構造において、図３に示した入力結合コンデンサ７ａは導体４３に導体４４を接続してそれに導体４５を接続することで接地導体２８までの距離を近づけた構造により構成し、これを入力結合コンデンサ構造７０ａとし、図３に示した出力結合コンデンサ８ａも入力結合コンデンサ構造７０ａと同様の構造で構成し、これを出力結合コンデンサ構造８０ａとすると、本実施の形態に示す左手系フィルタの具体的構成としては図１５に示すように、ＣＲＬＨ共振器構造２００ａの端子２０１と入力結合コンデンサ構造７０ａの導体４３とを接続し、このＣＲＬＨ共振器構造２００ａの端子２０２に縦続に段間結合コンデンサ構造９０ａの導体４２ｂを接続し、さらに段間結合コンデンサ構造９０ａの導体４２ａと新たに用意したＣＲＬＨ共振器構造２００ａの端子２０２とを縦続に接続し、このＣＲＬＨ共振器構造２００ａの端子２０１と出力結合コンデンサ構造８０ａの導体４３とを接続することで表現される。
【００３２】
なお、本実施の形態では入力結合コンデンサ７ａ、出力結合コンデンサ８ａ、段間結合コンデンサ９ａを用いて構成しているが、これらの内、少なくとも１つ以上がコンデンサで構成され、それ以外を、インダクタで構成しても同様の効果を得る事が出来るが、一般的にコンデンサの方が低損失で構成できるため、コンデンサの方が望ましい。
【００３３】
（実施の形態２）
以下、本発明の実施の形態２における左手系フィルタについて図面を参照しながら説明する。
【００３４】
本実施の形態においては図４に示すように、実施の形態１で示したＣＲＬＨ共振器１００ａの端子１０１と縦続に入力結合コンデンサ７ｂを接続し、このＣＲＬＨ共振器１００ａの端子１０２と接地面との間に段間結合コンデンサ９ｂを接続し、このＣＲＬＨ共振器１００ａと段間結合コンデンサ９ｂとの接続点に新たに用意したＣＲＬＨ共振器１００ｃの端子１０２ｃを接続し、このＣＲＬＨ共振器１００ｃの端子１０１ｃと縦続に出力結合コンデンサ８ｂを接続して構成している。即ち、第１のコンデンサ１２ｃと、第１のコンデンサ１２ｃの一端にその一端が接続された第２のコンデンサ２ｃと、第１のコンデンサ１２ｃと第２のコンデンサ２ｃとの接続点にその一端が接続され、その他端がグランドに接続された第１のインダクタ１１ｃと、第２のコンデンサ２ｃの他端にその一端が接続され、その他端がグランドに接続された第２のインダクタ１ｃとを備え、第１のコンデンサ１２ｃの他端にその一端が接続されるとともに、その他端がグランドに接続された段間結合素子としての段間結合コンデンサ９ｂと、段間結合コンデンサ９ｂの一端にその一端が接続された第３のコンデンサ１２と、第３のコンデンサ１２の他端にその一端が接続された第４のコンデンサ２と、第３のコンデンサ１２と第４のコンデンサ２との接続点にその一端が接続され、その他端がグランドに接続された第３のインダクタ１１と、第４のコンデンサ２の他端にその一端が接続されるとともに、その他端がグランドに接続された第４のインダクタ１と、第２のコンデンサ２ｃの他端に接続された第１の入出力結合素子８ｂと、第４のコンデンサ２の他端に接続された第２の入出力結合素子７ｂとを設け、第１のコンデンサ１２ｃと第３のコンデンサ１２とは、段間結合コンデンサ９ｂに関して対称位置に配置し、第２のコンデンサ２ｃと第４のコンデンサ２とは、段間結合コンデンサ９ｂに関して対称位置に配置し、第１のインダクタ１１ｃと第３のインダクタ１１とは、段間結合コンデンサ９ｂに関して対称位置に配置し、第２のインダクタ１ｃと第４のインダクタ１とは、段間結合コンデンサ９ｂに関して対称位置に配置した構成としている。
【００３５】
このようにＣＲＬＨ共振器１００ａ、１００ｃを段間結合コンデンサ９ｂに関して対称位置に配置しているので、容易に２個のＣＲＬＨ共振器１００ａ、１００ｃの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００３６】
以下、具体的な構成について説明する。図１６（ａ）、（ｂ）に示すように互いに対向するよう配置された接地導体２７，２８間が誘電体２９で満たされた構造において、図４に示した入力結合コンデンサ７ｂは図１６（ａ）、（ｂ）に示す導体５２ａ，５２ｂを導体５１ａ，５１ｂで挟んで構成し、これを入力結合コンデンサ構造７０ｂとし、図４に示した出力結合コンデンサ８ｂも図１６（ａ）、（ｂ）に示した入力結合コンデンサ構造７０ｂと同様の構造で構成し、これを出力結合コンデンサ構造８０ｂとし、また、図１７（ａ）、（ｂ）に示すように互いに対向するよう配置された接地導体２７，２８間が誘電体２９で満たされた構造において、図４に示した段間結合コンデンサ９ｂは導体５３に導体５４を接続してそれに導体５５を接続することで接地導体２８までの距離を近づけた構造により構成し、これを段間結合コンデンサ構造９０ｂとすると、本実施の形態における左手系フィルタは図１８に示すように、ＣＲＬＨ共振器構造２００ａの端子２０１と入力結合コンデンサ構造７０ｂの導体５２ｂとを接続し、このＣＲＬＨ共振器構造２００ａの端子２０２に縦続に段間結合コンデンサ構造９０ｂの導体５３を接続し、さらに段間結合コンデンサ構造９０ｂの導体５３と新たに用意したＣＲＬＨ共振器構造２００ａの端子２０２を縦続に接続し、このＣＲＬＨ共振器構造２００ａの端子２０１と出力結合コンデンサ構造８０ｂの導体５２ａを接続することにより構成している。
【００３７】
なお、本実施の形態では入力結合コンデンサ７ｂ、出力結合コンデンサ８ｂ、段間結合コンデンサ９ｂと記載しているが、これらのうち、少なくとも１つ以上がコンデンサで構成され、それ以外は、インダクタで構成されても同様の効果を得る事が出来るが、一般的にコンデンサの方が低損失で構成できるため、コンデンサの方が望ましい。
【００３８】
（実施の形態３）
以下、本発明の実施の形態３における左手系フィルタについて図面を参照しながら説明する。
【００３９】
本実施の形態においては図５に示すように、このＣＲＬＨ共振器１００ａの端子１０２と接地面との間に入力結合コンデンサ７ｃを接続し、このＣＲＬＨ共振器１００ａの端子１０１に縦続に段間結合コンデンサ９ｃを接続し、さらに段間結合コンデンサ９ｃと新たに用意したＣＲＬＨ共振器１００ｄの端子１０１ｄを縦続に接続し、このＣＲＬＨ共振器１００ｄの端子１０２ｄと接地面との間に出力結合コンデンサ８ｃを接続して構成している。即ち、第１のコンデンサ２と、第１のコンデンサ２の一端にその一端が接続されるとともに、その他端がグランドに接続された第１のインダクタ１と、第１のコンデンサ２の他端にその一端が接続された第２のコンデンサ１２と、第２のコンデンサ１２の一端にその一端が接続されるとともに、その他端がグランドに接続された第２のインダクタ１１とを備え、第１のコンデンサ２の一端にその一端が接続される段間結合素子としての段間結合コンデンサ９ｃと、段間結合コンデンサ９ｃの他端にその一端が接続される第３のコンデンサ２ｄと、第３のコンデンサ２ｄの一端にその一端が接続されるとともに、その他端がグランドに接続された第３のインダクタ１ｄと、第３のコンデンサ２ｄの他端にその一端が接続された第４のコンデンサ１２ｄと、第４のコンデンサ１２ｄの一端にその一端が接続されるとともに、その他端がグランドに接続された第４のインダクタ１１ｄと、第２のコンデンサ１２の他端にその一端が接続されるとともに、その他端がグランドに接続された第１の入出力結合素子７ｃと、第４のコンデンサ１２ｄの他端にその一端が接続されるとともに、その他端がグランドに接続された第２の入出力結合素子８ｃとを設け、第１のコンデンサ２と第３のコンデンサ２ｄとは、段間結合コンデンサ９ｃに関して対称位置に配置し、第２のコンデンサ１２と第４のコンデンサ１２ｄとは、段間結合コンデンサ９ｃに関して対称位置に配置し、第１のインダクタ１と第３のインダクタ１ｄとは、段間結合コンデンサ９ｃに関して対称位置に配置し、第２のインダクタ１１と第４のインダクタ１１ｄとは、段間結合コンデンサ９ｃに関して対称位置に配置した構成としている。
【００４０】
このようにＣＲＬＨ共振器１００ａ、１００ｄは段間結合コンデンサ９ｃに関して対称位置に配置しているので、容易に２個のＣＲＬＨ共振器１００ａ、１００ｄの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００４１】
以下、具体的な構成について説明する。図１３（ａ）、（ｂ）に示すように互いに対向するよう配置された接地導体２７，２８間が誘電体２９で満たされた構造において、図５に示した段間結合コンデンサ９ｃは導体４２ａ，４２ｂを導体４１ａ，４１ｂで挟んで構成し、これを段間結合コンデンサ構造９０ｃとし、また、図１４（ａ）、（ｂ）に示すように互いに対向するよう配置された接地導体２７，２８間が誘電体２９で満たされた構造において、入力結合コンデンサ７ｃは導体４３に導体４４を接続してそれに導体４５を接続することで接地導体２８までの距離を近づけた構造により構成し、これを入力結合コンデンサ構造７０ｃとし、出力結合コンデンサ８ｃも入力結合コンデンサ構造７０ｃと同様の構造で構成し、これを出力結合コンデンサ構造８０ｃとすると、本実施の形態に示す左手系フィルタは図１９（ａ）、（ｂ）に示すように、ＣＲＬＨ共振器構造２００ａの端子２０１と入力結合コンデンサ構造７０ｃの導体４３とを接続し、このＣＲＬＨ共振器構造２００ａの端子２０２に縦続に段間結合コンデンサ構造９０ｃの導体４２ａを接続し、さらに段間結合コンデンサ構造９０ｃの導体４２ｂと新たに用意したＣＲＬＨ共振器構造２００ａの端子２０２とを縦続に接続し、このＣＲＬＨ共振器構造２００ａの端子２０１と出力結合コンデンサ構造８０ｃの導体４３とを接続することで表現される。
【００４２】
なお、本実施の形態では入力結合コンデンサ７ｃ、出力結合コンデンサ８ｃ、段間結合コンデンサ９ｃと記載しているが、これらのうち、少なくとも１つ以上がコンデンサで構成され、それ以外は、インダクタで構成されても同様の効果を得る事が出来るが、一般的にコンデンサの方が低損失で構成できるため、コンデンサの方が望ましい。
【００４３】
（実施の形態４）
以下、本発明の実施の形態４における左手系フィルタについて図面を参照しながら説明する。
【００４４】
本実施の形態においては図６に示すように、実施の形態１で示したＣＲＬＨ共振器１００ａの端子１０２と縦続に入力結合コンデンサ７ｄを接続し、このＣＲＬＨ共振器１００ａの端子１０１と接地面との間に段間結合コンデンサ９ｄを接続し、このＣＲＬＨ共振器１００ａと段間結合コンデンサ９ｄとの接続点に新たに用意したＣＲＬＨ共振器１００ｅの端子１０１ｅを接続し、このＣＲＬＨ共振器１００ｅの端子１０２ｅと縦続に出力結合コンデンサ８ｄを接続して構成している。即ち、第１のコンデンサ１２と、第１のコンデンサ１２の一端にその一端が接続されるとともに、その他端がグランドに接続された第１のインダクタ１と、第１のコンデンサ１２の他端にその一端が接続された第２のコンデンサ２と、第２のコンデンサ２の一端にその一端が接続されるとともに、その他端がグランドに接続された第２のインダクタ１１とを備え、第１のコンデンサ１２の一端にその一端が接続されるとともに、その他端がグランドに接続された段間結合素子としての段間結合コンデンサ９ｄと、前記段間結合コンデンサ９ｄの一端にその一端が接続される第３のコンデンサ２ｅと、第３のコンデンサ２ｅの一端にその一端が接続されるとともに、その他端がグランドに接続された第３のインダクタ１ｅと、第３のコンデンサ２ｅの他端にその一端が接続された第４のコンデンサ１２ｅと、第４のコンデンサ１２ｅの一端にその一端が接続されるとともに、その他端がグランドに接続された第４のインダクタ１１ｅと、前記第２のコンデンサ２の他端にその一端が接続された第１の入出力結合素子７ｄと、第４のコンデンサ１２ｅの他端にその一端が接続された第２の入出力結合素子８ｄとを設け、第１のコンデンサ１２と前記第３のコンデンサ２ｅとは、段間結合コンデンサ９ｄに関して対称位置に配置し、第２のコンデンサ２と前記第４のコンデンサ１２ｅとは、段間結合コンデンサ９ｄに関して対称位置に配置し、第１のインダクタ１と前記第３のインダクタ１ｅとは、段間結合コンデンサ９ｄに関して対称位置に配置し、第２のインダクタ１１と前記第４のインダクタ１１ｅとは、段間結合コンデンサ９ｄに関して対称位置に配置した構成としている。
【００４５】
このようにＣＲＬＨ共振器１００ａ、１００ｅは段間結合コンデンサ９ｄに関して対称位置に配置しているので、容易に２個のＣＲＬＨ共振器１００ａ、１００ｅの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００４６】
以下、具体的な構成について説明する。図１６（ａ）、（ｂ）に示すように互いに対向するよう配置された接地導体２７，２８間が誘電体２９で満たされた構造において、図６に示した入力結合コンデンサ７ｄは図１６（ａ）、（ｂ）に示す導体５２ａ，５２ｂを導体５１ａ，５１ｂで挟む構造で構成し、これを入力結合コンデンサ構造７０ｄとし、図６に示した出力結合コンデンサ８ｄも入力結合コンデンサ構造７０ｄと同様の構造で構成し、これを出力結合コンデンサ構造８０ｄとし、また、図１７に示すように互いに対向するよう配置された接地導体２７，２８間が誘電体２９で満たされた構造において、図６に示した段間結合コンデンサ９ｄは導体５３に導体５４を接続してそれに導体５５を接続することで接地導体２８までの距離を近づけた構造で構成し、これを段間結合コンデンサ構造９０ｄとすると、本実施の形態における左手系フィルタは図２０に示すように、ＣＲＬＨ共振器構造２００ａの端子２０１と入力結合コンデンサ構造７０ｄの導体４２ｂを接続し、このＣＲＬＨ共振器構造２００ａの端子２０２に縦続に段間結合コンデンサ構造９０ｄの導体５３を接続し、さらに段間結合コンデンサ構造９０ｄの導体５３と新たに用意したＣＲＬＨ共振器構造２００ａの端子２０２を縦続に接続し、このＣＲＬＨ共振器構造２００ａの端子２０１と出力結合コンデンサ構造８０ｄの導体４２ａを接続することで表現される。
【００４７】
なお、本実施の形態では入力結合コンデンサ７ｄ、出力結合コンデンサ８ｄ、段間結合コンデンサ９ｄと記載しているが、これらのうち、少なくとも１つ以上がコンデンサで構成され、それ以外は、インダクタで構成されても同様の効果を得る事が出来るが、一般的にコンデンサの方が低損失で構成できるため、コンデンサの方が望ましい。
【００４８】
なお、本実施の形態でも十分な特性を得ることが出来るが、設計するにあたって入力結合コンデンサ７ｄ、出力結合コンデンサ８ｄの値は非常に大きく、段間結合コンデンサ９ｄの値は非常に小さくなるため、それらを具体的に構造化することは実施の形態１〜３に比べて難しいので、実施の形態１〜３に示した構造の方が望ましい。
【００４９】
（実施の形態５）
以下、本発明の実施の形態５における左手系フィルタについて図面を参照しながら説明する。
【００５０】
本実施の形態においては図７に示すように、実施の形態１で示したＣＲＬＨ共振器１００ａの端子１０１と縦続に入力結合インダクタ１７ａを接続し、このＣＲＬＨ共振器１００ａの端子１０２と接地面との間に段間結合インダクタ１９ａを接続し、このＣＲＬＨ共振器１００ａと段間結合インダクタ１９ａとの接続点に新たに用意したＣＲＬＨ共振器１００ｂの端子１０２ｂを接続し、このＣＲＬＨ共振器１００ｂの端子１０１ｂと縦続に出力結合インダクタ１８ａを接続して構成している。
【００５１】
このようにＣＲＬＨ共振器１００ａ、１００ｂは段間結合インダクタ１９ａに関して対称位置に配置しているので、容易に２個のＣＲＬＨ共振器１００ａ、１００ｂの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００５２】
以下、具体的な構成について説明する。図２１（ａ）、（ｂ）に示すように互いに対向するよう配置された接地導体２７，２８間が誘電体２９で満たされた構造において、図７に示した段間結合インダクタ１９ａは導体６１に接続された導体６２と、導体６２と接地導体２８を接続するように配置された導体６３で構成され、これを段間結合インダクタ構造１９０ａとし、また、図２２（ａ）、（ｂ）に示すように互いに対向するよう配置された接地導体２７，２８間が誘電体２９で満たされた構造において、図７に示した入力結合インダクタ１７ａはらせん状に形成された導体６４ａと導体６４ｂを接続するために、導体６４ａと導体６５ａが接続され、導体６５ａは導体６６と接続され、導体６６は導体６５ｂと接続され、導体６５ｂは導体６４ｂと接続された構造により構成され、これを入力結合インダクタ構造１７０ａとし、図７に示した出力結合インダクタ１８ａも入力結合インダクタ構造１７０ａと同様の構造で構成し、これを出力結合インダクタ構造１８０ａとすると、本実施の形態は図２３に示すように、ＣＲＬＨ共振器構造２００ａの端子２０１と入力結合インダクタ構造１７０ａの導体６４ｂを接続し、このＣＲＬＨ共振器構造２００ａの端子２０２に縦続に段間結合インダクタ構造１９０ａの導体６１を接続し、さらに段間結合インダクタ構造１９０ａの導体６１と新たに用意したＣＲＬＨ共振器構造２００ａの端子２０２を縦続に接続し、このＣＲＬＨ共振器構造２００ａの端子２０１と出力結合インダクタ構造１８０ａの導体６４ｂを接続することにより構成している。
【００５３】
なお、本実施の形態では入力結合インダクタ１７ａ、出力結合インダクタ１８ａ、段間結合インダクタ１９ａと記載しているが、これらのうち、少なくとも１つ以上がインダクタで構成され、それ以外は、コンデンサで構成されても同様の効果を得る事が出来、さらにコンデンサの方が低損失で構成できるので、左手系フィルタの挿入損失は改善される。
【００５４】
なお、本実施の形態でも十分な特性を得ることが出来るが、一般的にインダクタよりもコンデンサの方が低損失で構成できるので、実施の形態１〜３に示した構造の方が望ましい。
【００５５】
（実施の形態６）
以下、本発明の実施の形態６における左手系フィルタについて図面を参照しながら説明する。
【００５６】
本実施の形態においては図８に示すように、このＣＲＬＨ共振器１００ａの端子１０１と接地面との間に入力結合インダクタ１７ｂを接続し、このＣＲＬＨ共振器１００ａの端子１０２に縦続に段間結合インダクタ１９ｂを接続し、さらに段間結合インダクタ１９ｂと新たに用意したＣＲＬＨ共振器１００ｂの端子１０２ｂを縦続に接続し、このＣＲＬＨ共振器１００ｂの端子１０１ｂと接地面との間に出力結合インダクタ１８ｂを接続して構成している。
【００５７】
このようにＣＲＬＨ共振器１００ａ、１００ｂは段間結合インダクタ１９ｂに関して対称位置に配置しているので、容易に２個のＣＲＬＨ共振器１００ａ、１００ｂの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００５８】
以下、具体的な構成について説明する。図２４（ａ）、（ｂ）に示すように互いに対向するよう配置された接地導体２７，２８間が誘電体２９で満たされた構造において、図８に示した段間結合インダクタ１９ｂはメアンダ状に形成された導体７１で表現され、これを段間結合インダクタ構造１９０ｂとし、また、図２５に示すように互いに対向するよう配置された接地導体２７，２８間が誘電体２９で満たされた構造において、図８に示した入力結合インダクタ１７ｂの導体７２に接続された導体７３と、導体７３と接地導体２８を接続するように配置された導体７４で構成し、これを入力結合インダクタ構造１７０ｂとし、図８に示した出力結合インダクタ１８ｂも入力結合インダクタ構造１７０ｂと同様の構造で構成し、これを出力結合インダクタ構造１８０ｂとすると、本実施の形態は図２６に示すように、ＣＲＬＨ共振器構造２００ａの端子２０１と入力結合インダクタ構造１７０ｂの導体７２とを接続し、このＣＲＬＨ共振器構造２００ａの端子２０２に縦続に段間結合インダクタ構造１９０ｂの導体７１を接続し、さらに段間結合インダクタ構造１９０ｂの導体７１と新たに用意したＣＲＬＨ共振器構造２００ａの端子２０２とを縦続に接続し、このＣＲＬＨ共振器構造２００ａの端子２０１と出力結合インダクタ構造１８０ｂの導体７２とを接続することで表現される。
【００５９】
なお、本実施の形態では入力結合インダクタ１７ｂ、出力結合インダクタ１８ｂ、段間結合インダクタ１９ｂと記載しているが、これらのうち、少なくとも１つ以上がインダクタで構成され、それ以外は、コンデンサで構成されても同様の効果を得る事が出来、さらにコンデンサの方が低損失で構成できるので、左手系フィルタの挿入損失は改善される。
【００６０】
なお、本実施の形態でも十分な特性を得ることが出来るが、一般的にインダクタよりもコンデンサの方が低損失で構成できるので、実施の形態１〜３に示した構造の方が望ましい。
【００６１】
（実施の形態７）
以下、本発明の実施の形態７における左手系フィルタについて図面を参照しながら説明する。
【００６２】
本実施の形態においては、図９に示すように、実施の形態１で示したＣＲＬＨ共振器１００ａの端子１０２と縦続に入力結合インダクタ１７ｃを接続し、このＣＲＬＨ共振器１００ａの端子１０１と接地面との間に段間結合インダクタ１９ｃを接続し、このＣＲＬＨ共振器１００ａと段間結合インダクタ１９ｃとの接続点に新たに用意したＣＲＬＨ共振器１００ｄの端子１０１ｄを接続し、このＣＲＬＨ共振器１００ｄの端子１０２ｄと縦続に出力結合インダクタ１８ｃを接続して構成している。
【００６３】
このようにＣＲＬＨ共振器１００ａ、１００ｄは段間結合インダクタ１９ｃに関して対称位置に配置しているので、容易に２個のＣＲＬＨ共振器１００ａ、１００ｄの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００６４】
以下、具体的な構成について説明する。図２１（ａ）、（ｂ）に示すように互いに対向するよう配置された接地導体２７，２８間が誘電体２９で満たされた構造において、図９に示した段間結合インダクタ１９ｃは導体６１に接続された導体６２と、導体６２と接地導体２８を接続するように配置された導体６３で構成し、これを段間結合インダクタ構造１９０ｃとし、また、図２２に示すように互いに対向するよう配置された接地導体２７，２８間が誘電体２９で満たされた構造において、図９に示した入力結合インダクタ１７ｃはらせん状に形成された導体６４ａと導体６４ｂを接続するために、導体６４ａと導体６５ａが接続され、導体６５ａは導体６６と接続され、導体６６は導体６５ｂと接続され、導体６５ｂは導体６４ｂと接続された構造で構成し、これを入力結合インダクタ構造１７０ｃとし、出力結合インダクタ１８ｃも入力結合インダクタ構造１７０ｃと同様の構造で構成し、これを出力結合インダクタ構造１８０ｃとすると、本実施の形態は図２７に示すように、ＣＲＬＨ共振器構造２００ａの端子２０２と入力結合インダクタ構造１７０ｃの導体６４ｂとを接続し、このＣＲＬＨ共振器構造２００ａの端子２０１に縦続に段間結合インダクタ構造１９０ｃの導体６１を接続し、さらに段間結合インダクタ構造１９０ｃの導体６１と新たに用意したＣＲＬＨ共振器構造２００ａの端子２０１を縦続に接続し、このＣＲＬＨ共振器構造２００ａの端子２０２と出力結合インダクタ構造１８０ｃの導体６４ｂを接続することで構成している。
【００６５】
なお、本実施の形態では入力結合インダクタ１７ｃ、出力結合インダクタ１８ｃ、段間結合インダクタ１９ｃと記載しているが、これらのうち、少なくとも１つ以上がインダクタで構成され、それ以外は、コンデンサで構成されても同様の効果を得る事が出来、さらにコンデンサの方が低損失で構成できるので、左手系フィルタの挿入損失は改善される。
【００６６】
なお、本実施の形態でも十分な特性を得ることが出来るが、一般的にインダクタよりもコンデンサの方が低損失で構成できるので、実施の形態１〜３に示した構造の方が望ましい。
【００６７】
（実施の形態８）
以下、本発明の実施の形態８における左手系フィルタについて図面を参照しながら説明する。
【００６８】
本実施の形態においては図１０に示すように、このＣＲＬＨ共振器１００ａの端子１０２と接地面との間に入力結合インダクタ１７ｄを接続し、このＣＲＬＨ共振器１００ａの端子１０１に縦続に段間結合インダクタ１９ｄを接続し、さらに段間結合インダクタ１９ｄと新たに用意したＣＲＬＨ共振器１００ｄの端子１０１ｄを縦続に接続し、このＣＲＬＨ共振器１００ｄの端子１０２ｄと接地面との間に出力結合インダクタ１８ｄを接続して構成している。
【００６９】
このようにＣＲＬＨ共振器１００ａ、１００ｄは段間結合インダクタ１９ｄに関して対称位置に配置しているので、容易に２個のＣＲＬＨ共振器１００ａ、１００ｄの−１次の共振の結合を制御する事ができるので−１次の共振で通過域を形成した左手系フィルタを構成する事ができ、−１次を使うので従来の２段左手系フィルタよりも小型な左手系フィルタを提供する事が出来る。
【００７０】
以下、具体的な構成について説明する。図２４（ａ）、（ｂ）に示すように互いに対向するよう配置された接地導体２７，２８間が誘電体２９で満たされた構造において、図１０に示した段間結合インダクタ１９ｄはメアンダ状に形成された導体７１により構成し、これを段間結合インダクタ構造１９０ｄとし、また、図２５に示すように互いに対向するよう配置された接地導体２７，２８間が誘電体２９で満たされた構造において、図１０に示した入力結合インダクタ１７ｄの導体７２に接続された導体７３と、導体７３と接地導体２８を接続するように配置された導体７４で構成し、これを入力結合インダクタ構造１７０ｄとし、図１０に示した出力結合インダクタ１８ｄも入力結合インダクタ構造１７０ｄと同様の構造で表現され、これを出力結合インダクタ構造１８０ｄとすると、本実施の形態は図２８に示すように、ＣＲＬＨ共振器構造２００ａの端子２０２と入力結合インダクタ構造１７０ｄの導体７２を接続し、このＣＲＬＨ共振器構造２００ａの端子２０１に縦続に段間結合インダクタ構造１９０ｄの導体７１を接続し、さらに段間結合インダクタ構造１９０ｄの導体７１と新たに用意したＣＲＬＨ共振器構造２００ａの端子２０１とを縦続に接続し、このＣＲＬＨ共振器構造２００ａの端子２０２と出力結合インダクタ構造１８０ｄの導体７２とを接続することで表現される。
【００７１】
なお、本実施の形態では入力結合インダクタ１７ｄ、出力結合インダクタ１８ｄ、段間結合インダクタ１９ｄと記載しているが、これらのうち、少なくとも１つ以上がインダクタで構成され、それ以外は、コンデンサで構成されても同様の効果を得る事が出来、さらにコンデンサの方が低損失で構成できるので、左手系フィルタの挿入損失は改善される。
【００７２】
なお、本実施の形態でも十分な特性を得ることが出来るが、一般的にインダクタよりもコンデンサの方が低損失で構成できるので、実施の形態１〜３に示した構造の方が望ましい。
【００７３】
（実施の形態９）
以下、本発明の実施の形態９における左手系フィルタについて図面を参照しながら説明する。
【００７４】
本実施の形態においては、実施の形態１で示したＣＲＬＨ共振器１００ａを２個用いた左手系フィルタにさらにＣＲＬＨ共振器１００ａを１個追加した３個の共振器を有する左手系フィルタである。具体的には、図２９に示すように、実施の形態１で示した図３の等価回路構成において、出力結合コンデンサ８ａを段間結合コンデンサ７８とし、この段間結合コンデンサ７８に新たに用意したＣＲＬＨ共振器１００ａの端子１０１を接続し、このＣＲＬＨ共振器１００ａの端子１０２と接地面との間に出力結合コンデンサ７９を接続して構成している。
【００７５】
このようにＣＲＬＨ共振器１００ａは段間結合コンデンサ９ａ及び段間結合コンデンサ７８に関して対称位置に配置しているので、容易に、３個のＣＲＬＨ共振器１００ａの−１次の共振の結合を制御する事ができるので−１次の共振で通過域を形成した左手系フィルタを構成する事ができ、−１次を使うので従来の３段左手系フィルタよりも小型な左手系フィルタを提供する事が出来る。
【００７６】
なお、この本実施の形態に示した構造は実施の形態２〜８にも同様の接続方法を用いることで、構成する事ができる。
【００７７】
具体的な構造例としては、図３０に示すように、実施の形態１で示した図１５の構造の一例において、出力結合コンデンサ構造８０ａを段間結合コンデンサ構造８８とし、この段間結合コンデンサ構造８８の導体４３と新たに用意したＣＲＬＨ共振器構造２００ａの端子２０１を接続し、このＣＲＬＨ共振器構造２００ａの端子２０２と図１３（ａ）、（ｂ）にて表現される出力結合コンデンサ構造８９を接続することで構成している。
【００７８】
なお、本実施の形態では入力結合コンデンサ７ａ、出力結合コンデンサ７９、段間結合コンデンサ９ａ，７８と記載しているが、これらのうち、少なくとも１つ以上がコンデンサで構成され、それ以外は、インダクタで構成されても同様の効果を得る事が出来るが、一般的にコンデンサの方が低損失で構成できるため、コンデンサの方が望ましい。
【産業上の利用可能性】
【００７９】
本発明の左手系フィルタは、伝搬特性を改善することができるという効果を有し、携帯電話等の各種電子機器において有用である。
【図面の簡単な説明】
【００８０】
【図１】本発明の実施の形態１の左手系フィルタにおける単位セルを示す等価回路図
【図２】本発明の実施の形態１の左手系フィルタにおけるＣＲＬＨ共振器を示す等価回路図
【図３】本発明の実施の形態１における左手系フィルタの等価回路図
【図４】本発明の実施の形態２における左手系フィルタの等価回路図
【図５】本発明の実施の形態３における左手系フィルタの等価回路図
【図６】本発明の実施の形態４における左手系フィルタの等価回路図
【図７】本発明の実施の形態５における左手系フィルタの等価回路図
【図８】本発明の実施の形態６における左手系フィルタの等価回路図
【図９】本発明の実施の形態７における左手系フィルタの等価回路図
【図１０】本発明の実施の形態８における左手系フィルタの等価回路図
【図１１】（ａ）本発明の実施の形態１の左手系フィルタにおける単位セル構造を示す上面図、（ｂ）本発明の実施の形態１の左手系フィルタにおける端子セル構造を示す側面図
【図１２】（ａ）本発明の実施の形態１の左手系フィルタにおけるＣＲＬＨ共振器の構造を示す上面図、（ｂ）本発明の実施の形態１の左手系フィルタにおけるＣＲＬＨ共振器の構造を示す側面図
【図１３】（ａ）本発明の実施の形態１、３、９の左手系フィルタにおける段間結合コンデンサの構造を示す上面図、（ｂ）本発明の実施の形態１、３、９の左手系フィルタにおける段間結合コンデンサの構造を示す側面図
【図１４】（ａ）本発明の実施の形態１、３の左手系フィルタにおける入力結合コンデンサ及び出力結合コンデンサの構造を示す上面図、（ｂ）本発明の実施の形態１、３の左手系フィルタにおける入力結合コンデンサ及び出力結合コンデンサの構造を示す側面図
【図１５】（ａ）本発明の実施の形態１、９における左手系フィルタの構造を示す上面図、（ｂ）本発明の実施の形態１、９における左手系フィルタの構造を示す側面図
【図１６】（ａ）本発明の実施の形態２、４における左手系フィルタの入力結合コンデンサ及び出力結合コンデンサの他の構造を示す上面図、（ｂ）本発明の実施の形態２、４における左手系フィルタの入力結合コンデンサ及び出力結合コンデンサの他の構造を示す側面図
【図１７】（ａ）本発明の実施の形態２、４の左手系フィルタにおける段間結合コンデンサの他の構造を示す上面図、（ｂ）本発明の実施の形態２、４の左手系フィルタにおける段間結合コンデンサの他の構造を示す側面図
【図１８】（ａ）本発明の実施の形態２における左手系フィルタの構造を示す上面図、（ｂ）本発明の実施の形態２における左手系フィルタの構造を示す側面図
【図１９】（ａ）本発明の実施の形態３における左手系フィルタの構造を示す上面図、（ｂ）本発明の実施の形態３における左手系フィルタの構造を示す側面図
【図２０】（ａ）本発明の実施の形態４における左手系フィルタの構造を示す上面図、（ｂ）本発明の実施の形態４における左手系フィルタの構造を示す側面図
【図２１】（ａ）本発明の実施の形態５、７の左手系フィルタにおける段間結合インダクタの構造を示す上面図、（ｂ）本発明の実施の形態５、７の左手系フィルタにおける段間結合インダクタの構造を示す側面図
【図２２】（ａ）本発明の実施の形態５、７の左手系フィルタにおける入力結合インダクタ及び出力結合インダクタの構造を示す上面図、（ｂ）本発明の実施の形態５、７の左手系フィルタにおける入力結合インダクタ及び出力結合インダクタの構造を示す側面図
【図２３】（ａ）本発明の実施の形態５における左手系フィルタの構造を示す上面図、（ｂ）本発明の実施の形態５における左手系フィルタの構造を示す側面図
【図２４】（ａ）本発明の実施の形態６、８の左手系フィルタにおける段間結合インダクタの構造を示す上面図、（ｂ）本発明の実施の形態６、８の左手系フィルタにおける段間結合インダクタの構造を示す側面図
【図２５】（ａ）本発明の実施の形態６、８の左手系フィルタにおける入力結合インダクタ及び出力結合インダクタの構造を示す上面図、（ｂ）本発明の実施の形態６、８の左手系フィルタにおける入力結合インダクタ及び出力結合インダクタの構造を示す側面図
【図２６】（ａ）本発明の実施の形態６に示す左手系フィルタの構造を示す上面図、（ｂ）本発明の実施の形態６に示す左手系フィルタの構造を示す側面図
【図２７】（ａ）本発明の実施の形態７に示す左手系フィルタの構造を示す上面図、（ｂ）本発明の実施の形態７に示す左手系フィルタの構造を示す側面図
【図２８】（ａ）本発明の実施の形態８に示す左手系フィルタの構造を示す上面図、（ｂ）本発明の実施の形態８に示す左手系フィルタの構造を示す側面図
【図２９】本発明の実施の形態９に示す左手系フィルタの等価回路図
【図３０】（ａ）本発明の実施の形態９に示す左手系フィルタの構造を示す上面図、（ｂ）本発明の実施の形態９に示す左手系フィルタの構造を示す側面図
【図３１】本発明の実施の形態１に示す左手系フィルタにおける右手系伝送線路の等価回路図
【図３２】本発明の実施の形態１に示す左手系フィルタにおける左手系伝送線路の等価回路図
【図３３】本発明の実施の形態１に示す左手系フィルタにおけるＣＲＬＨ共振器の電圧定在波を示す特性図
【図３４】本発明の実施の形態１に示す左手系フィルタの左手系フィルタ特性図
【図３５】従来の左手系フィルタの斜視図
【図３６】従来の左手系フィルタの周波数特性図
【符号の説明】
【００８１】
１，４，１１，１４  インダクタ
２，３，１２，１３  コンデンサ
７ａ，７ｂ，７ｃ，７ｄ，７６  入力結合コンデンサ
８ａ，８ｂ，８ｃ，８ｄ，７９  出力結合コンデンサ
９ａ，９ｂ，９ｃ，９ｄ，７７，７８  段間結合コンデンサ
１０ａ，１０ｂ  単位セル
１７ａ，１７ｂ，１７ｃ，１７ｄ  入力結合インダクタ
１８ａ，１８ｂ，１８ｃ，１８ｄ  出力結合インダクタ
１９ａ，１９ｂ，１９ｃ，１９ｄ  段間結合インダクタ
２０ａ  単位セルの構造例
２１，２２ａ，２２ｂ，２３，２４，２５，２６ａ，２６ｂ，３１，３２ａ，３２ｂ，３３，３４，３５，３６ａ，３６ｂ  導体
２７，２８  接地導体
２９  誘電体
３０ａ  入力結合素子
３０ｂ  出力結合素子
４１ａ，４１ｂ，４２ａ，４２ｂ，４３，４４，４５，５１ａ，５１ｂ，５２ａ，５２ｂ，５３，５４，５５，６１，６２，６３，６４ａ，６４ｂ，６５ａ，６５ｂ，６６，７１，７２，７３，７４  導体
７０ａ，７０ｂ，７０ｃ，７０ｄ，８６  入力結合コンデンサの構造例
８０ａ，８０ｂ，８０ｃ，８０ｄ，８９  出力結合コンデンサの構造例
９０ａ，９０ｂ，９０ｃ，９０ｄ，８７，８８  段間結合コンデンサの構造例
１００ａ  ＣＲＬＨ共振器
１０１，１０２  端子
１７０ａ，１７０ｂ，１７０ｃ，１７０ｄ  入力結合インダクタの構造例
１８０ａ，１８０ｂ，１８０ｃ，１８０ｄ  出力結合インダクタの構造例
１９０ａ，１９０ｂ，１９０ｃ，１９０ｄ  段間結合インダクタの構造例
２００ａ  ＣＲＬＨ共振器の構造例
２０１，２０２  端子
【図１】
0005045349.tif 000002
【図２】
0005045349.tif 000003
【図３】
0005045349.tif 000004
【図４】
0005045349.tif 000005
【図５】
0005045349.tif 000006
【図６】
0005045349.tif 000007
【図７】
0005045349.tif 000008
【図８】
0005045349.tif 000009
【図９】
0005045349.tif 000010
【図１０】
0005045349.tif 000011
【図１１】
0005045349.tif 000012
【図１２】
0005045349.tif 000013
【図１３】
0005045349.tif 000014
【図１４】
0005045349.tif 000015
【図１５】
0005045349.tif 000016
【図１６】
0005045349.tif 000017
【図１７】
0005045349.tif 000018
【図１８】
0005045349.tif 000019
【図１９】
0005045349.tif 000020
【図２０】
0005045349.tif 000021
【図２１】
0005045349.tif 000022
【図２２】
0005045349.tif 000023
【図２３】
0005045349.tif 000024
【図２４】
0005045349.tif 000025
【図２５】
0005045349.tif 000026
【図２６】
0005045349.tif 000027
【図２７】
0005045349.tif 000028
【図２８】
0005045349.tif 000029
【図２９】
0005045349.tif 000030
【図３０】
0005045349.tif 000031
【図３１】
0005045349.tif 000032
【図３２】
0005045349.tif 000033
【図３３】
0005045349.tif 000034
【図３４】
0005045349.tif 000035
【図３５】
0005045349.tif 000036
【図３６】
0005045349.tif 000037